(57)【要約】【課題】出力予約に起因する各種制限に影響されずにプリントジョブのスケジュールを管理する。【解決手段】プリントジョブを複数記憶可能な記憶部と、前記プリントジョブに基づく画像形成の予約を制御する制御部と、を有するプリントジョブ制御装置又は画像形成装置であって、前記制御部は、前記記憶部に記憶されている複数の前記プリントジョブの実行順の組合せをスケジュールとして生成し、前記スケジュールを前記記憶部に記憶しておき、前記スケジュールを前記記憶部から読み出し、読み出された前記スケジュールによって複数の前記プリントジョブについての画像形成の出力予約を行う。【選択図】図１
2015231716.tif 000002
【特許請求の範囲】
【請求項１】
プリントジョブを複数記憶可能な記憶部と、
前記プリントジョブに基づく画像形成の予約を制御する制御部と、
を有するプリントジョブ制御装置であって、
前記制御部は、前記記憶部に記憶されている複数の前記プリントジョブの実行順の組合せをスケジュールとして生成し、前記スケジュールを前記記憶部に記憶しておき、前記スケジュールを前記記憶部から読み出し、読み出された前記スケジュールによって複数の前記プリントジョブについての画像形成の出力予約を行う、
ことを特徴とするプリントジョブ制御装置。
【請求項２】
前記制御部は、前記記憶部に記憶されている複数の前記プリントジョブの実行順の組合せからなるスケジュールについて複数組を生成して前記記憶部に記憶させることが可能である、
ことを特徴とする請求項１に記載のプリントジョブ制御装置。
【請求項３】
前記制御部は、前記記憶部から読み出した前記スケジュールにより、複数の前記プリントジョブの実行順の組合せを、一括して画像形成の出力予約とする、
ことを特徴とする請求項１−２のいずれか一項に記載のプリントジョブ制御装置。
【請求項４】
前記制御部は、前記スケジュールとして、前記複数のプリントジョブを実行する日又は時刻の少なくとも一方を指定する、
ことを特徴とする請求項１−３のいずれか一項に記載のプリントジョブ制御装置。
【請求項５】
前記制御部は、前記記憶部に記憶されている複数の前記プリントジョブの中から特定の条件に合致する候補を検索して抽出し、抽出された前記プリントジョブについて前記スケジュールを生成する、
ことを特徴とする請求項１−４のいずれか一項に記載のプリントジョブ制御装置。
【請求項６】
前記制御部は、前記特定の条件として、用紙種類、用紙残量、実行時間、総実行時間のいずれかを選択可能とする、
ことを特徴とする請求項５に記載のプリントジョブ制御装置。
【請求項７】
前記制御部は、前記特定の条件に合致する前記プリントジョブの組合せからなるスケジュールについて複数組を生成する、
ことを特徴とする請求項５−６のいずれか一項に記載のプリントジョブ制御装置。
【請求項８】
各種情報を表示する表示部を備え、
前記制御部は、前記スケジュールに含まれる前記複数のプリントジョブの実行順を前記表示部に表示する、
ことを特徴とする請求項１−７のいずれか一項に記載のプリントジョブ制御装置。
【請求項９】
前記制御部は、前記スケジュールに含まれる前記複数のプリントジョブの実行日又は実行時刻の少なくとも一方を前記表示部に表示する、
ことを特徴とする請求項８に記載のプリントジョブ制御装置。
【請求項１０】
各種情報を表示する表示部を備え、
前記制御部は、前記スケジュールに含まれる前記複数のプリントジョブの実行条件を前記表示部に表示する、
ことを特徴とする請求項１−９のいずれか一項に記載のプリントジョブ制御装置。
【請求項１１】
プリントジョブを複数記憶可能な記憶部と、前記プリントジョブに基づく画像形成の予約を制御する制御部と、を有する装置を制御するプリントジョブ制御方法であって、
前記制御部は、
前記記憶部に記憶されている複数の前記プリントジョブの実行順の組合せをスケジュールとして生成し、
前記スケジュールを前記記憶部に記憶し、
前記スケジュールを前記記憶部から読み出し、
読み出された前記スケジュールによって複数の前記プリントジョブについての画像形成の出力予約を行う、
ことを特徴とするプリントジョブ制御方法。
【請求項１２】
前記制御部は、前記記憶部に記憶されている複数の前記プリントジョブの実行順の組合せからなるスケジュールについて複数組を生成して前記記憶部に記憶させることが可能である、
ことを特徴とする請求項１１に記載のプリントジョブ制御方法。
【請求項１３】
前記制御部は、前記記憶部から読み出した前記スケジュールにより、複数の前記プリントジョブの実行順の組合せを、一括して画像形成の出力予約とする、
ことを特徴とする請求項１１−１２のいずれか一項に記載のプリントジョブ制御方法。
【請求項１４】
前記制御部は、前記スケジュールとして、前記複数のプリントジョブを実行する日又は時刻の少なくとも一方を指定する、
ことを特徴とする請求項１１−１３のいずれか一項に記載のプリントジョブ制御方法。
【請求項１５】
前記制御部は、前記記憶部に記憶されている複数の前記プリントジョブの中から特定の条件に合致する候補を検索して抽出し、抽出された前記プリントジョブについて前記スケジュールを生成する、
ことを特徴とする請求項１１−１４のいずれか一項に記載のプリントジョブ制御方法。
【請求項１６】
前記制御部は、前記特定の条件として、用紙種類、用紙残量、実行時間、総実行時間のいずれかを選択可能とする、
ことを特徴とする請求項１５に記載のプリントジョブ制御方法。
【請求項１７】
前記制御部は、前記特定の条件に合致する前記プリントジョブの組合せからなるスケジュールについて複数組を生成する、
ことを特徴とする請求項１５−１６のいずれか一項に記載のプリントジョブ制御方法。
【請求項１８】
各種情報を表示する機能を備え、
前記制御部は、前記スケジュールに含まれる前記複数のプリントジョブの実行順を表示部に表示する、
ことを特徴とする請求項１１−１７のいずれか一項に記載のプリントジョブ制御方法。
【請求項１９】
前記制御部は、前記スケジュールに含まれる前記複数のプリントジョブの実行日又は実行時刻の少なくとも一方を前記表示部に表示する、
ことを特徴とする請求項１８に記載のプリントジョブ制御方法。
【請求項２０】
各種情報を表示する機能を備え、
前記制御部は、前記スケジュールに含まれる前記複数のプリントジョブの実行条件を表示部に表示する、
ことを特徴とする請求項１１−１９のいずれか一項に記載のプリントジョブ制御方法。
【請求項２１】
プリントジョブを複数記憶可能な記憶部と、前記プリントジョブに基づく画像形成の予約を制御する制御部と、を有する請求項１−１０のいずれか一項に記載のプリントジョブ制御装置と、
前記制御部の制御により前記プリントジョブに基づいて用紙に画像形成するプリンタ部と、
を備えたことを特徴とする画像形成装置。
【発明の詳細な説明】
【技術分野】
【０００１】
本発明は、プリントジョブ制御装置及びプリントジョブ制御方法並びに画像形成装置に関し、特に、プリントジョブのスケジュール管理を改善する技術に関する。
【背景技術】
【０００２】
画像形成装置では、画像形成の実行の際に、複数のプリントジョブを出力予約することが可能なものが存在している。
また、複数のプリントジョブの出力予約として、ハードディスク装置（ＨＤＤ）に保存されたプリントジョブについての実行順や実行日時など、各種のスケジュール管理が可能な画像形成装置が存在している。
【０００３】
なお、画像形成装置におけるプリントジョブの出力予約やスケジュール管理については、以下の特許文献に関連した提案がなされている。
【先行技術文献】
【特許文献】
【０００４】
【特許文献１】特開２００７−３３１１７８号公報
【特許文献２】特開２００６−３９５９９号公報
【発明の概要】
【発明が解決しようとする課題】
【０００５】
以上の特許文献１では、文書のプリントを伴うスケジュールを管理可能な画像形成装置において、管理されているスケジュールに関連付けられた文書のプリントに要するプリント時間を算出し、該プリント時間に基づいてスケジュール開始時刻までにプリント完了となるようプリントジョブ開始時刻を算出し、算出されたジョブ開始時刻にプリントジョブを開始することを特徴としている。
【０００６】
これにより、プリントジョブ出力予約の際に、画像形成装置側でスケジュール機能と文書を持ってその関連付けを行うことで、ジョブのスケジューリングを可能とし、又、他のジョブよりも優先的に印刷を行うことで、印刷完了時刻の保証が可能となる。
【０００７】
また、以上の特許文献２では、パーソナルコンピュータからいずれかのプリンタにプリント指令を出力する際、該パーソナルコンピュータの表示手段に各プリンタ毎に処理必要時間を表示させる。従って、各プリンタ毎にプリント指令に係るプリントジョブの完了時間を正確に予測して、ユーザは最も早くプリントを完了できるプリンタにプリントを実行させることができる。
【０００８】
ところで、画像形成装置においてプリントジョブの実行についてスケジュールを調整又は管理するには、プリントジョブを出力予約することが必要である。すなわち、実際にプリントジョブを出力するものとして予約した上で、複数のプリントジョブの順序を入れ替えたりする調整が可能になる。
【０００９】
しかし、画像形成装置の電源を夜間に切断するような状況では、電源切断までの当日分の出力予約しかできない。このため、電源切断時以降（例えば翌日分）のプリントジョブを含めた状態でのスケジュールの調整や管理をすることができなかった。
【００１０】
このため、幾つかのプリントジョブを実行する際に、それらを当日に実行するか翌日に実行するか、といった複数日にわたるスケジュール調整を行って、いずれの組合せや順番でトータルの効率が良くなるかを検討する、といった要望に対処することができない問題があった。
【００１１】
また、出力予約したプリントジョブを実行開始してしまうと、出力予約されている未実行のプリントジョブについて自由にスケジュール調整をすることができないという問題もあった。
【００１２】
本発明はこのような課題に鑑みてなされたものであって、出力予約に起因する各種制限に影響されずにプリントジョブのスケジュールを管理可能なプリントジョブ制御装置及びプリントジョブ制御方法並びに画像形成装置を実現することを目的とする。
【課題を解決するための手段】
【００１３】
上述の課題を解決する一態様としてのプリントジョブ制御装置及びプリントジョブ制御方法並びに画像形成装置は、以下のように構成される。
（１）プリントジョブを複数記憶可能な記憶部と、前記プリントジョブに基づく画像形成の予約を制御する制御部と、を有するプリントジョブ制御装置又は画像形成装置であって、前記制御部は、前記記憶部に記憶されている複数の前記プリントジョブの実行順の組合せをスケジュールとして生成し、前記スケジュールを前記記憶部に記憶しておき、前記スケジュールを前記記憶部から読み出し、読み出された前記スケジュールによって複数の前記プリントジョブについての画像形成の出力予約を行う、ことを特徴とする。
【００１４】
（２）上記（１）において、前記制御部は、前記記憶部に記憶されている複数の前記プリントジョブの実行順の組合せからなるスケジュールについて複数組を生成して前記記憶部に記憶させることが可能である、ことを特徴とする。
【００１５】
（３）上記（１）−（２）において、前記制御部は、前記記憶部から読み出した前記スケジュールにより、複数の前記プリントジョブの実行順の組合せを、一括して画像形成の出力予約とする、ことを特徴とする。
【００１６】
（４）上記（１）−（３）において、前記制御部は、前記スケジュールとして、前記複数のプリントジョブを実行する日又は時刻の少なくとも一方を指定する、ことを特徴とする。
【００１７】
（５）上記（１）−（４）において、前記制御部は、前記記憶部に記憶されている複数の前記プリントジョブの中から特定の条件に合致する候補を検索して抽出し、抽出された前記プリントジョブについて前記スケジュールを生成する、ことを特徴とする。
【００１８】
（６）上記（５）において、前記制御部は、前記特定の条件として、用紙種類、用紙残量、実行時間、総実行時間のいずれかを選択可能とする、ことを特徴とする。
（７）上記（５）−（６）において、前記制御部は、前記特定の条件に合致する前記プリントジョブの組合せからなるスケジュールについて複数組を生成する、ことを特徴とする。
【００１９】
（８）上記（１）−（７）において、各種情報を表示する表示部を備え、前記制御部は、前記スケジュールに含まれる前記複数のプリントジョブの実行順を前記表示部に表示する、ことを特徴とする。
【００２０】
（９）上記（８）において、前記制御部は、前記スケジュールに含まれる前記複数のプリントジョブの実行日又は実行時刻の少なくとも一方を前記表示部に表示する、ことを特徴とする。
【００２１】
（１０）上記（１）−（９）において、各種情報を表示する表示部を備え、前記制御部は、前記スケジュールに含まれる前記複数のプリントジョブの実行条件を前記表示部に表示する、ことを特徴とする。
【発明の効果】
【００２２】
上述の課題を解決する一態様としてのプリントジョブ制御装置及びプリントジョブ制御方法並びに画像形成装置では、以下のような効果が得られる。
（１）上述した一態様において、制御部は、記憶部に記憶されている複数のプリントジョブの実行順の組合せをスケジュールとして生成し、スケジュールを記憶部に記憶しておき、スケジュールを記憶部から読み出し、読み出されたスケジュールによって複数のプリントジョブについての画像形成の出力予約を行うことにより、プリントジョブの出力予約とは独立してプリントジョブのスケジュール管理（立案及び調整）が可能になり、出力予約に起因する各種制限に影響されずにプリントジョブのスケジュールを管理することが可能になる。
【００２３】
（２）上記（１）において、記憶部に記憶されている複数のプリントジョブの実行順の組合せからなるスケジュールについて複数組を生成して記憶部に記憶させることにより、プリントジョブの実行順についてのスケジュールを、プリントジョブの出力予約とは独立した状態で、１つに限定されない状態で管理（立案及び調整）することができ、出力予約に起因する各種制限に影響されずにプリントジョブのスケジュールを管理することが可能になる。
【００２４】
（３）上記（１）−（２）において、制御部は、記憶部から読み出したスケジュールにより、複数のプリントジョブの実行順の組合せを、一括して画像形成の出力予約とすることにより、プリントジョブの出力予約とは独立してスケジュール管理を行えると共に、スケジュール管理を行った状態のプリントジョブの組合せを一括して出力予約することができる。
【００２５】
（４）上記（１）−（３）において、制御部は、スケジュールとして、複数のプリントジョブを実行する日又は時刻の少なくとも一方を指定することにより、プリントジョブの出力予約とは独立してプリントジョブの実行日や実行時刻についてのスケジュール管理が可能になり、出力予約に起因する各種制限に影響されずにプリントジョブのスケジュールを管理することが可能になる。
【００２６】
（５）上記（１）−（４）において、制御部は、記憶部に記憶されている複数のプリントジョブの中から特定の条件に合致する候補を検索して抽出し、抽出されたプリントジョブについてスケジュールを生成することにより、プリントジョブの出力予約とは独立して特定の条件に合致するプリントジョブの組合せについてのスケジュール管理が可能になり、出力予約に起因する各種制限に影響されずにプリントジョブのスケジュールを管理することが可能になる。
【００２７】
（６）上記（５）において、制御部は、特定の条件として、用紙種類、用紙残量、実行時間、総実行時間のいずれかを選択可能とすることにより、プリントジョブの出力予約とは独立した状態で、用紙種類、用紙残量、実行時間、総実行時間のいずれか特定の条件に合致するプリントジョブの組合せについてのスケジュール管理が可能になり、出力予約に起因する各種制限に影響されずにプリントジョブのスケジュールを管理することが可能になる。
【００２８】
（７）上記（５）−（６）において、制御部は、特定の条件に合致するプリントジョブの組合せからなるスケジュールについて複数組を生成することにより、プリントジョブの出力予約とは独立して特定の条件に合致するプリントジョブの組合せについてのスケジュールを、１つに限定されない状態で管理（立案及び調整）することができ、出力予約に起因する各種制限に影響されずにプリントジョブのスケジュールを管理することが可能になる。
【００２９】
（８）上記（１）−（７）において、スケジュールに含まれる複数のプリントジョブの実行順を表示部に表示することにより、プリントジョブの出力予約とは独立してプリントジョブの実行順についてのスケジュールを、視覚的に把握しつつ管理（立案及び調整）することができ、出力予約に起因する各種制限に影響されずにプリントジョブのスケジュールを管理することが可能になる。
【００３０】
（９）上記（８）において、制御部は、スケジュールに含まれる複数のプリントジョブの実行日又は実行時刻の少なくとも一方を表示部に表示することにより、プリントジョブの出力予約とは独立してプリントジョブの実行日時についてのスケジュールを、視覚的に把握しつつ管理（立案及び調整）することができ、出力予約に起因する各種制限に影響されずにプリントジョブのスケジュールを管理することが可能になる。
【００３１】
（１０）上記（１）−（９）において、各種情報を表示する表示部を備え、制御部は、スケジュールに含まれる複数のプリントジョブの実行条件を表示部に表示することにより、プリントジョブの出力予約とは独立してプリントジョブの実行条件についてのスケジュールを、視覚的に把握しつつ管理（立案及び調整）することができ、出力予約に起因する各種制限に影響されずにプリントジョブのスケジュールを管理することが可能になる。
【図面の簡単な説明】
【００３２】
【図１】本発明の実施形態の画像形成装置の構成を示すブロック図である。
【図２】本発明の実施形態の画像形成装置の構成を示す構成図である。
【図３】本発明の実施形態の画像形成装置の動作を示すフローチャートである。
【図４】本発明の実施形態の画像形成装置の画面例を示す説明図である。
【図５】本発明の実施形態の画像形成装置の画面例を示す説明図である。
【図６】本発明の実施形態の画像形成装置の画面例を示す説明図である。
【図７】本発明の実施形態の画像形成装置の画面例を示す説明図である。
【図８】本発明の実施形態の画像形成装置の画面例を示す説明図である。
【図９】本発明の実施形態の画像形成装置の動作を示すフローチャートである。
【図１０】本発明の実施形態の画像形成装置の画面例を示す説明図である。
【図１１】本発明の実施形態の画像形成装置の画面例を示す説明図である。
【図１２】本発明の実施形態の画像形成装置の画面例を示す説明図である。
【図１３】本発明の実施形態の画像形成装置の動作を示すフローチャートである。
【発明を実施するための形態】
【００３３】
以下、図面を参照して本発明のプリントジョブ制御装置及びプリントジョブ制御方法並びに画像形成装置について実施形態を詳細に説明する。
〔画像形成システムの概略構成〕
図１は本発明の実施の形態の画像形成装置と周辺の外部装置とによる画像形成システムの一例を示し、図２は画像形成システムの外観構成の一例を示している。
【００３４】
ここで、コンピュータ１０は、アプリケーションプログラム上で画像データ及びジョブ設定データを含むプリントジョブを生成して、ネットワーク３０を介して画像形成装置１００に送信する外部装置（情報処理装置）である。
【００３５】
画像形成システムとしては、図２に示されるように、図面上で右から左に向けた用紙の流れに沿って、画像形成する用紙を給送する給紙装置５０、用紙に画像形成する画像形成装置１００、画像形成装置１００で画像形成された用紙に各種用紙処理（折り処理、パンチ処理、ステイプル処理、製本処理など）を施す用紙処理装置４００、が用紙の流れに沿って直列接続されている。
【００３６】
また、給紙装置５０、画像形成装置１００、用紙処理装置４００は、それぞれ通信部５５，１２５，４０５を介して、給紙制御部５１，主制御部１５０，用紙処理制御部４０１が通信することで連携した制御を行うように構成されている。
【００３７】
〔詳細構成〕
図１は、本発明の実施の形態に含まれる画像形成装置１００の構成を中心に示している。
【００３８】
給紙装置５０は、給紙装置各部を制御する給紙制御部５１と、給紙制御部５１により制御されて指定された給紙トレイから用紙を給紙する給紙処理部５２と、画像形成装置１００と通信する通信部５５と、を備えて構成される。
【００３９】
画像形成装置１００は、大きく分けて、プリントコントローラ１１０と、給紙部１２１と、スキャナ部１２２と、操作表示部１２３と、プリンタ部１２４と、通信部１２５と、主制御部１５０と、を備えて構成される。
【００４０】
プリントコントローラ１１０は、ＬＡＮ（Local Area Network）などのネットワーク３０を介してコンピュータ１０と接続されており、コンピュータ１０から送られてくるプリントジョブをラスタライズ処理してイメージデータを生成する処理（ＲＩＰ処理）を実行する機能を果たす。なお、イメージデータは画像形成に使用されるビットマップ形式の画像データである。
【００４１】
プリントコントローラ１１０がコンピュータ１０から受信するプリントジョブは、文字や図形をコードデータやベクトルデータで表した印刷データ、たとえば、ＰＤＬ（Page Description Language：ページ記述言語）で記述された印刷データを含むものであり、ラスタライズ処理（ＲＩＰ処理）はコードデータやベクトルデータで構成される印刷データをビットマップ形式のイメージデータに展開する処理である。
【００４２】
プリントコントローラ１１０は、当該プリントコントローラ１１０の動作を統括制御するためにＣＰＵ（Central Processing Unit）で構成されたコントローラ制御部１１１と、ネットワークに接続するための通信機能を果たすＬＡＮ−ＩＦ部１１２と、ＲＩＰ処理により生成したイメージデータなどを記憶する画像メモリ１１３と、ネットワークから受信した印刷データやＲＩＰ処理の処理過程で生成される中間データなどを蓄積するハードディスク装置（ＨＤＤ）１１４と、画像メモリ１１３へのデータのリード／ライト機能および主制御部１５０との間で各種データの送受信機能を果たすＤＲＡＭ（Dynamic Random Access Memory）制御部１１５とを有している。
【００４３】
また、プリントコントローラ１１０は、コンピュータ１０から受信したプリントジョブについて、受信直後に画像形成するものについてはＲＩＰ処理して主制御部１５０に送るが、後に画像形成するものについてはＨＤＤ１１４に予約登録として記憶しておく。
【００４４】
なお、プリントコントローラ１１０が画像形成装置１００内部に組み込まれている状態を示しているが、プリントコントローラを画像形成装置１００の外部に設けることも可能である。
【００４５】
このほか、図示省略してあるが、コントローラ制御部１１１には、当該コントローラ制御部１１１が読み出して実行するプログラムや固定データを記憶したＲＯＭ（Read Only Memory）およびコントローラ制御部１１１がプログラムを実行する際に各種データを一時的に格納するためのワークメモリなどが接続されている。
【００４６】
給紙部１２１は、画像形成装置１００内で給紙トレイに収容された用紙をプリンタ部１２４に給送する。
スキャナ部１２２は、原稿をカラーもしくはモノクロで光学的に読み取って対応する画像データを取得する機能を果たすもので、ラインイメージセンサ１２２ａのほか、当該スキャナ部１２２の動作全体を制御するスキャナ制御部１２２ｂを備えている。
【００４７】
操作表示部１２３は、各種設定画面や操作画面などを表示する機能、オペレータに向けて各種案内情報や通知、警告などを表示する機能、オペレータから各種の設定／選択操作や編集操作、出力指示（画像形成の開始指示）を受け付ける機能を果たす。操作表示部１２３は、液晶ディスプレイからなる表示部１２３ａと、その画面上に敷設されたタッチスイッチおよびその他のスイッチから成る操作部１２３ｂと、表示部１２３ａおよび操作部１２３ｂを制御する操作制御部１２３ｃとを有して構成される。
【００４８】
プリンタ部１２４は画像データに応じて用紙に画像を形成する画像形成部であり、画像データに応じてオン/オフされる各レーザーダイオード（ＬＤ）１２４ａのほか、プロセスユニットなどの動作を制御するプリンタ制御部１２４ｂを有している。
【００４９】
なお、スキャナ制御部１２２ｂ、操作制御部１２３ｃ、プリンタ制御部１２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００５０】
主制御部１５０は、各部の制御部と協調して画像形成装置１００全体の動作を統括制御する機能を果たすもので、ＣＰＵ１５１と、読み取り処理部１５２と、選択部１５３と、ＤＲＡＭ制御部１５３ａ（ＤＲＡＭ制御部(1)）と、ＤＲＡＭ制御部１５３ｂ（ＤＲＡＭ制御部(2)）と、圧縮伸長部１５４ａ（圧縮伸長部(1)）と、圧縮伸長部１５４ｂ（圧縮伸長部(2)）と、半導体メモリで構成された画像メモリ１５５ａ（画像メモリ(1)）と、半導体メモリで構成された画像メモリ１５５ｂ（画像メモリ(2)）と、ハードディスク装置（ＨＤＤ）１５６と、書き込み処理部１５８と、ＲＯＭ１５９ａと、ＲＡＭ１５９ｂと、不揮発メモリ１５９ｃと、を備えて構成される。
【００５１】
また、主制御部１５０ではＣＰＵ１５１が中心となって、この実施形態では、記憶されている複数のプリントジョブの実行順の組合せをスケジュールとして生成し、スケジュールを記憶しておき、記憶されたスケジュールを読み出し、読み出されたスケジュールによって複数のプリントジョブについての画像形成の出力予約を行う、制御機能を有している。
【００５２】
ＲＯＭ１５９ａには、プログラムや各種固定データなどが記憶されており、ＣＰＵ１５１はＲＯＭ１５９ａに格納されたプログラムに従って動作する。ＲＡＭ１５９ｂは、ＣＰＵ１５１がプログラムを実行する際に各種のデータを一時的に格納するワークメモリとして使用される。不揮発メモリ１５９ｃは、電源オフ後も記憶しておくべきユーザデータやシステムデータ、各種設定値などが記憶されるメモリである。
【００５３】
読み取り処理部１５２は、スキャナ部１２２の出力する画像データに対して拡大処理、鏡像処理、誤差拡散処理などを施す機能を果たす。
選択部１５３は、ＤＲＡＭ制御部１５３ａとＤＲＡＭ制御部１５３ｂとをＣＰＵ１５１の指示に基づいて選択する機能を果たす。
【００５４】
ＤＲＡＭ制御部１５３ａは、ダイナミックＲＡＭからなる画像メモリ１５５ａへのリード・ライトおよびリフレッシュのタイミング制御や、画像データを圧縮して画像メモリ１５５ａに格納したり、画像メモリ１５５ａから圧縮画像データを読み出して伸張したりする際のタイミング制御などを行う。
【００５５】
ＤＲＡＭ制御部１５３ｂは、ダイナミックＲＡＭからなる画像メモリ１５５ｂへのリード・ライトおよびリフレッシュのタイミング制御や、画像データを圧縮して画像メモリ１５５ｂに格納したり、画像メモリ１５５ｂから圧縮画像データを読み出して伸張したりする際のタイミング制御などを行う。
【００５６】
また、ＤＲＡＭ制御部１５３ａとＤＲＡＭ制御部１５３ｂには、選択部１５３を介してＰＣＩ（Peripheral Component Interconnect）バスを通じてプリントコントローラ１１０のＤＲＡＭ制御部１１５と接続され、プリントコントローラ１１０との間で各種のデータを授受する機能を果たす。
【００５７】
圧縮伸長部１５４ａは、画像メモリ１５５ａを記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。圧縮伸長部１５４ｂは、画像メモリ１５５ｂを記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。
【００５８】
画像メモリ１５５ａは、圧縮伸長部１５４ａにより使用され、圧縮して生成された圧縮画像データや伸長された画像データを記憶する機能を果たす。画像メモリ１５５ｂは、圧縮伸長部１５４ｂにより使用され、圧縮して生成された圧縮画像データや伸長された画像データを記憶する機能を果たす。
【００５９】
ハードディスク装置１５６には、プリントコントローラ１１０から受信したプリントジョブのデータ（ジョブデータ）などが記憶され保存される。
書き込み処理部１５８は、画像メモリ１５５ａや画像メモリ１５５ｂから読み出して伸張された画像データに応じて、プリンタ部１２４での各色のＬＤ１２４ａをオン/オフさせるための信号を、プリンタ部１２４の動作に応じたタイミングで出力する機能を果たす。
【００６０】
用紙処理装置４００は、用紙処理装置各部を制御する用紙処理制御部４０１と、用紙処理制御部４０１により制御されて各種の用紙処理を実行する用紙処理部４１０と、画像形成装置１００と通信する通信部４０５と、を備えて構成される。
【００６１】
〔動作〕
ここで、本実施形態の画像形成装置や画像形成システムにおけるプリントジョブの制御動作例ついて、図３以降のフローチャートにより説明する。
【００６２】
なお、以下の動作説明では、画像形成装置１００内の主制御部１５０が中心となってプリントジョブ制御を実行する。
また、以下のプリントジョブ制御動作を、画像形成装置１００内の主制御部１５０の代わりに、コンピュータ１０がプリントジョブ制御装置として画像形成装置１００に対して実行することも可能である。
【００６３】
〔動作(1)〕
オペレータが操作表示部１２３の操作画面を操作して、出力予約とは独立したスケジュール登録を開始するためのアイコン又はボタンをクリックする。この操作表示部１２３での操作を受けた主制御部１５０は、ＨＤＤ１１４に保存されているプリントジョブを操作画面１２３Ｇ１（図４参照）のプリントジョブ一覧表示部１２３Ｇ１１に一覧表示する（図３中のステップＳ１０１）。
【００６４】
図４のプリントジョブ一覧表示部１２３Ｇ１１では、ＪＯＢ１〜ＪＯＢ１５の１５個のプリントジョブが一覧形式で操作画面１２３Ｇ１上に表示されている。
プリントジョブ一覧表示部１２３Ｇ１１に一覧表示されたプリントジョブを参照したオペレータは、出力予約とは別に、複数のプリントジョブの実行順の組合せをスケジュールとして選択する（図３中のステップＳ１０２）。この際に、オペレータは、操作画面１２３Ｇ１上の「複数選択」タブ（図４中の（ａ））をクリックした上で、プリントジョブ一覧表示部１２３Ｇ１１中のＪＯＢ１〜ＪＯＢ１５のいずれかをクリックすることで、スケジュールとしてプリントジョブを選択することができる。
【００６５】
図４のプリントジョブ一覧表示部１２３Ｇ１１では、一覧表示されたＪＯＢ１〜ＪＯＢ１５の１５個のプリントジョブの中から、ＪＯＢ１，ＪＯＢ２，ＪＯＢ５，ＪＯＢ７，ＪＯＢ１０，ＪＯＢ１２，ＪＯＢ１１のの７個のプリントジョブがオペレータにより選択された状態を示している。なお、ここに示したプリントジョブ一覧表示部１２３Ｇ１１では、未選択状態のプリントジョブは濃いグレーで一覧表示されており、選択状態のプリントジョブは明るいグレーで一覧表示されている。
【００６６】
また、図４において、プリントジョブ一覧表示部１２３Ｇ１１において選択されたプリントジョブは、選択中ジョブ一覧表示部１２３Ｇ１２に纏めて表示されている。なお、ここでは、オペレータが選択した順に、順番００１：ＪＯＢ１，順番００２：ＪＯＢ２，順番００３：ＪＯＢ５，順番００４：ＪＯＢ７，順番００５：ＪＯＢ１０，順番００６：ＪＯＢ１２，順番００７：ＪＯＢ１１，として選択中ジョブ一覧表示部１２３Ｇ１２に纏めて表示されている。
【００６７】
以上のようにしてスケジュール登録のためにプリントジョブを選択した状態で、オペレータによって、操作画面１２３Ｇ１上の「ジョブ詳細」タブ（図４中の（ｂ））がクリックされる（図３中のステップＳ１０３）。
【００６８】
この操作表示部１２３での操作を受けた主制御部１５０は、スケジュール登録のために選択されている各プリントジョブについての実行時間目安と用紙種類と用紙枚数、選択されている複数プリントジョブ全体での実行時間目安と用紙種類と用紙枚数と、をジョブ詳細情報として操作画面１２３Ｇ２中のジョブ詳細情報表示部１２３Ｇ２１に表示する（図３中のステップＳ１０４、図５参照）。なお、このジョブ詳細情報として表示する情報は上記情報に限定されるものではなく、例えば、用紙サイズや坪量などの表示を行っても良い。
【００６９】
また、操作画面１２３Ｇ１上の「ジョブ詳細」タブ（図４中の（ｂ））がクリックされた場合（図３中のステップＳ１０３）、主制御部１５０は、ジョブ詳細情報として図６に示すジョブ詳細情報表示部１２３Ｇ３１を表示することができる（図３中のステップＳ１０４）。このジョブ詳細情報表示部１２３Ｇ３１では、スケジュール登録のために選択されている各プリントジョブについて、使用される用紙の給紙トレイが縦軸に表示され、各プリントジョブの実行時間が横軸に表示されている。
【００７０】
ここでは、各プリントジョブが使用する用紙情報と現在のトレイ情報とから、設定変更無しに出力できるトレイのところに、ジョブの実行時間に応じた長さのバーを表示している。設定が一致しない場合は、該当なしのところにジョブのバーが表示される。
【００７１】
また、この図６において画面左下の「単位切替え」ボタン（図６中の（ｄ））がオペレータにより押下されると、横軸の実行時間表示が、用紙の使用枚数表示に切り替わる。この結果、各トレイにおける用紙の使用量を把握することも可能になる。
【００７２】
以上のように、図６のジョブ詳細情報表示部１２３Ｇ３１においてトレイ情報とジョブの情報を縦方向に並べると共に時間や用紙枚数の情報を横方向に表示することで、トレイの設定変更や用紙の入れ替えなどを少なくするようにプリントジョブの組み合わせを調整することが可能になる。
【００７３】
すなわち、幾つかのプリントジョブを実行する際に、１日のうちでトレイの設定変更や用紙の入れ替えを少なくなるように組み合わせ、本日に実行するプリントジョブの組合せ、翌日に実行するプリントジョブの組合せ、のように調整することで、組合せや順番の入れ替えでトータルの効率が良くなるように設定することができる。
【００７４】
また、操作画面１２３Ｇ１上の「ジョブ詳細」タブ（図４中の（ｂ））がクリックされた場合（図３中のステップＳ１０３）、主制御部１５０は、ジョブ詳細情報として図７に示すジョブ詳細情報表示部１２３Ｇ４１を表示することができる（図３中のステップＳ１０４）。このジョブ詳細情報表示部１２３Ｇ４１では、スケジュール登録のために選択されている各プリントジョブについて、使用される用紙の給紙トレイが縦軸に表示され、各プリントジョブの実行時間が横軸に表示されている。なお、各プリントジョブの実行時間については、実行順に従って実行した場合の実際の実行時間が表示されている。このジョブ詳細情報表示部１２３Ｇ４１によると、スケジュールに従ってプリントジョブを実行した場合に、トータルで何時間必要であるか、何時頃に終了するか、といった時間や時刻を視覚的に把握することが可能になる。
【００７５】
ここでは、各プリントジョブが使用する用紙情報と現在のトレイ情報とから、設定変更無しに出力できるトレイのところに、ジョブの実行時間に応じた長さのバーを表示している。設定が一致しない場合は、該当なしのところにジョブのバーが表示される。
【００７６】
また、この図７において画面左下の「単位切替え」ボタン（図７中の（ｄ））がオペレータにより押下されると、横軸の実行時間表示が、用紙の使用枚数表示に切り替わる。この結果、各トレイにおける用紙の使用量を把握することも可能になる。
【００７７】
また、各プリントジョブの実行タイミングも同時に確認することができるので、スケジュールを調整する際の判断材料にすることができる。なお、後述する実行順序入れ替えの機能と連動させることで、この画面を用いてプリントジョブの実行順序を入れ替えるようにしても良い。
【００７８】
以上のように、図７のジョブ詳細情報表示部１２３Ｇ４１においてトレイ情報とジョブの情報を縦方向に並べると共に時間や用紙枚数の情報を横方向に表示することで、トレイの設定変更や用紙の入れ替えなどを少なくするようにプリントジョブの組み合わせを調整することが可能になる。
【００７９】
以上のジョブ詳細情報表示部１２３Ｇ２１（図５参照）、ジョブ詳細情報表示部１２３Ｇ３１（図６参照）、ジョブ詳細情報表示部１２３Ｇ４１（図７参照）に示されるプリントジョブの表示内容により、オペレータは、プリントジョブの入れ替えを考慮する場合がある。例えば、同じトレイを使用するプリントジョブの用紙使用枚数が共に多く給紙補給による生産性低下が予想される場合などは、プリントジョブの選択を入れ替えることが望ましいとオペレータが判断する場合がある。
【００８０】
すなわち、以上のジョブ詳細情報表示部１２３Ｇ２１（図５参照）、ジョブ詳細情報表示部１２３Ｇ３１（図６参照）、ジョブ詳細情報表示部１２３Ｇ４１（図７参照）に示されるプリントジョブの表示内容により、スケジュール登録のためのプリントジョブ選択が完了していないと判断したオペレータは、操作画面１２３Ｇ２〜１２３Ｇ４中の「閉じる」（図５〜図７中の（ａ））ボタンを押下する（図３中のステップＳ１０５でＮＯ）。この操作表示部１２３での操作を受けた主制御部１５０は、プリントジョブ一覧表示部１２３Ｇ１１を含む操作画面１２３Ｇ１（図４参照）の表示に戻り、プリントジョブの実行順の組合せ（スケジュール）を再び受け付ける（図３中のステップＳ１０２）。
【００８１】
一方、以上のジョブ詳細情報表示部１２３Ｇ２１（図５参照）、ジョブ詳細情報表示部１２３Ｇ３１（図６参照）、ジョブ詳細情報表示部１２３Ｇ４１（図７参照）に示されるプリントジョブの表示内容により、プリントジョブの選択が完了していると判断したオペレータは、操作画面１２３Ｇ２〜１２３Ｇ４中の「スケジュール登録」（図５〜図７中の（ｃ））ボタンを押下する（図３中のステップＳ１０５でＹＥＳ、ステップＳ１０６でＹＥＳ）。
【００８２】
この操作表示部１２３での操作を受けた主制御部１５０は、スケジュール登録のために選択された各プリントジョブについて、実行順序の入れ替えが可能な実行順序指定部１２３Ｇ５１と、実行日や実行時刻の指定が可能な実行日時指定部１２３Ｇ５２と、を有する操作画面１２３Ｇ５を表示する（図８参照）。
【００８３】
この実行順序指定部１２３Ｇ５１では、選択された各プリントジョブについて、オペレータは、アップ（１つ上へ）キーとダウン（１つ下へ）キーとを用いて実行順序を入れ替えることが可能である（図３中のステップＳ１０７，Ｓ１０８）。また、この実行日時指定部１２３Ｇ５２では、実行順序紙底部１２３Ｇ５１で選択されている各プリントジョブについて、オペレータは、テンキーを用いて実行日や実行時刻を指定することが可能である（図３中のステップＳ１０９〜Ｓ１１１）。この図８の操作画面１２３Ｇ５では、ＪＯＢ１２が選択された状態になっており、順序の入れ替えと実行日時指定が可能である具体例を示している。
【００８４】
なお、実行日のみ、あるいは、実行時刻のみの一方を指定することも可能である。
実行日のみ指定した場合には、実行日のいずれかの時刻にプリントジョブが実行される。実行時刻のみ指定した場合には、プリントジョブを実行する日の指定時刻にプリントジョブが実行される。
【００８５】
以上のようにして、プリントジョブの選択を完了し（図３中のステップＳ１０５でＹＥＳ）、プリントジョブの実行順序の設定を完了し（図３中のステップＳ１０８でＹＥＳ）、必要に応じてプリントジョブの実行日時の設定を完了（図３中のステップＳ１１０，Ｓ１１１）したオペレータは、操作画面１２３Ｇ５中の「ＯＫ」（図８の（ａ））ボタンを押下する。この操作表示部１２３での操作を受けた主制御部１５０は、以上のようにして選択されたプリントジョブの実行順の組合せを出力予約とは独立したスケジュールとしてＨＤＤ１１４又はＨＤＤ１５６に保存する（図３中のステップＳ１１２）。
【００８６】
これにより、主制御部１５０はスケジュール登録の処理を完了し、操作表示部１２３に初期操作画面（図示せず）を表示する。
以上のように、複数のプリントジョブの実行順の組合せからなるスケジュールについて、プリントジョブの出力予約とは独立した状態で管理（立案及び調整）することができ、出力予約に起因する各種制限に影響されずにプリントジョブの実行順についてのスケジュールを自由に管理することが可能になる。
【００８７】
なお、このスケジュールの保存の際に、スケジュールに名称を付して保存することも可能である。また、以上のスケジュールは出力予約とは独立したものであるため、複数組のスケジュールを生成してＨＤＤ１１４又はＨＤＤ１５６に保存することが可能である。
【００８８】
すなわち、複数のプリントジョブの実行順の組合せからなるスケジュールについて、プリントジョブの出力予約とは独立した状態で、１つに限定されない状態で管理（立案及び調整）することができ、出力予約に起因する各種制限に影響されずにプリントジョブの実行順についてのスケジュールを自由に管理することが可能になる。
【００８９】
なお、出力予約とは独立した状態でスケジュールを生成して登録するようにしているため、
いずれかのプリントジョブを実行中であっても、スケジュールの生成や登録は実行中のプリントジョブから何ら影響を受けることはない。
【００９０】
〔動作(2)〕
以上の動作(1)の説明では、主制御部１５０は、ＨＤＤ１１４に保存されているプリントジョブを操作画面１２３Ｇ１（図４参照）のプリントジョブ一覧表示部１２３Ｇ１１に一覧表示している（図３中のステップＳ１０１）。
【００９１】
ここで、ＨＤＤ１１４に保存されているプリントジョブが多数存在している場合には、プリントジョブ一覧表示部１２３Ｇ１１の１画面に収まらず、数画面分にわたって表示される場合がある。
【００９２】
このように多くのプリントジョブを一覧表示する状態であると、プリントジョブ一覧表示部１２３Ｇ１１に表示されているプリントジョブの中から、オペレータが所望のプリントジョブを探し出して選択する作業（図３中のステップＳ１０２）が非常に面倒になる可能性がある。
【００９３】
そこで、主制御部１５０は、ＨＤＤ１１４に保存されているプリントジョブをプリントジョブ一覧表示部１２３Ｇ１１に一覧表示する（図３中のステップＳ１０１）前に、プリントジョブについて特定の条件により検索を実行するか否かをオペレータに問い合わせる（図９中のステップＳ２０１）。
【００９４】
オペレータが検索実行を選択しなかった場合には（図９中のステップＳ２０１でＮＯ）、主制御部１５０は、ＨＤＤ１１４に保存されている全てのプリントジョブを操作画面１２３Ｇ１（図４参照）のプリントジョブ一覧表示部１２３Ｇ１１に一覧表示する（図９中のステップＳ２０６）。
【００９５】
オペレータが検索実行を選択した場合には（図９中のステップＳ２０１でＹＥＳ）、主制御部１５０は、操作画面１２３Ｇ６を操作表示部１２３に表示し、検索条件と、その検索条件における検索キーワードとを、オペレータに入力させる（図９中のステップＳ２０２、Ｓ２０３）。
【００９６】
検索条件と検索キーワードの入力がなされると、主制御部１５０は、ＨＤＤ１１４に保存されている複数のプリントジョブの中から特定の条件に合致する候補を検索して抽出する（図９中のステップＳ２０４）。
【００９７】
図１０の操作画面１２３Ｇ６では、検索条件として「用紙種類」をオペレータが選択し（図１０中の１２３Ｇ６１）、「用紙種類」についての検索キーワードとして「普通紙」をオペレータが選択した状態（図１０中の１２３Ｇ６２）を具体例として示している。この検索条件と検索キーワードで検索が実行されると、普通紙を使用するプリントジョブのみが検索結果として抽出される。
【００９８】
図１１の操作画面１２３Ｇ７では、検索条件として「総実行時間」をオペレータが選択し（図１１中の１２３Ｇ７１）、「総実行時間」についての検索キーワードとして「１時間以内」をオペレータが選択した状態（図１１中の１２３Ｇ７２）を具体例として示している。
【００９９】
ここで、単に「実行時間」とした場合は、１つのプリントジョブの実行時間を意味している。また、「総実行時間」とは、複数のプリントジョブの全体の実行時間を意味している。すなわち、この検索条件と検索キーワードで検索が実行されると、１時間以内に実行できるプリントジョブの組み合わせが検索結果として抽出される。
【０１００】
検索により特定の条件に合致するプリントジョブが存在していれば（図９中のステップＳ２０５でＹＥＳ）、検索によって抽出された特定の条件に合致するプリントジョブを操作画面１２３Ｇ１（図４参照）のプリントジョブ一覧表示部１２３Ｇ１１に一覧表示する（図９中のステップＳ２０７）。
【０１０１】
検索により特定の条件に合致するプリントジョブが存在しなければ（図９中のステップＳ２０５でＮＯ）、検索によって抽出されたプリントジョブが存在しないと操作画面１２３Ｇ１（図４参照）のプリントジョブ一覧表示部１２３Ｇ１１に表示する（図９中のステップＳ２０８）。
【０１０２】
検索により特定の条件に合致するプリントジョブが依然として多数存在していたり、検索により特定の条件に合致するプリントジョブが少なすぎたり、検索により特定の条件に合致するプリントジョブが全く存在していない場合などは、オペレータは、図４のプリントジョブ一覧表示部１２３Ｇ１１において「検索」ボタン（図４中の（ｃ））を操作する。これにより、主制御部１５０は、検索条件と検索キーワードの入力から再び繰り返す（図９中のステップＳ２０９でＮＯ、Ｓ２０２〜）。
【０１０３】
以上のようにして、検索により特定の条件に合致するプリントジョブを絞り込んで、プリントジョブを操作画面１２３Ｇ１（図４参照）のプリントジョブ一覧表示部１２３Ｇ１１に一覧表示して、検索処理を終了する（図９のエンド）。
【０１０４】
この場合、保存されている複数のプリントジョブの中から特定の条件に合致する候補を検索して抽出し、抽出されたプリントジョブについてスケジュールを生成することにより、プリントジョブの出力予約とは独立して、特定の条件に合致するプリントジョブの組合せについてのスケジュール管理が可能になり、出力予約に起因する各種制限に影響されずにプリントジョブのスケジュールを管理することが可能になる。
【０１０５】
なお、特定の条件として、用紙種類、用紙残量、実行時間、総実行時間、のいずれかを選択可能とすることが望ましい。これにより、プリントジョブの出力予約とは独立した状態で、用紙種類、用紙残量、実行時間、総実行時間のいずれか特定の条件に合致するプリントジョブの組合せについてのスケジュール管理が可能になり、出力予約に起因する各種制限に影響されずにプリントジョブのスケジュールを管理することが可能になる。
【０１０６】
ここで、実行時間や総実行時間などを特定の条件として検索した場合、その条件に当てはまる検索結果を１組だけでなく、複数組生成することができる。例えば、プリントジョブの総実行時間が１時間以内という検索を実行した場合を想定する。
【０１０７】
この場合には、例えば、
組み合わせ１＝ＪＯＢ１＋ＪＯＢ４＋ＪＯＢ６＋ＪＯＢ１０＋ＪＯＢ１３，
組み合わせ２＝ＪＯＢ２＋ＪＯＢ５，
組み合わせ３＝ＪＯＢ１＋ＪＯＢ５＋ＪＯＢ６，
組み合わせ４＝ＪＯＢ４＋ＪＯＢ５＋ＪＯＢ６，
組み合わせ５＝ＪＯＢ７＋ＪＯＢ１０＋ＪＯＢ１３，
のように組み合わせ１〜組み合わせ５といった複数組の検索結果を得ることが可能である。
【０１０８】
そこで、検索を実行して複数組の検索結果が得られた場合、主制御部１５０は、図１２の操作画面１２３Ｇ８に示すように、検索結果表示部１２３Ｇ８１に複数組の検索結果を表示する。また、主制御部１５０は、各検索結果の組み合わせにどのようなプリントジョブが含まれるかについては、組み合わせ内容表示部１２３Ｇ８２に表示する。
【０１０９】
このように、特定の条件に合致するプリントジョブの組合せからなるスケジュールについて複数組を生成することにより、プリントジョブの出力予約とは独立して特定の条件に合致するプリントジョブの組合せについてのスケジュールを、１つに限定されない状態で管理（立案及び調整）することができ、出力予約に起因する各種制限に影響されずにプリントジョブのスケジュールを管理することが可能になる。
【０１１０】
〔動作(3)〕
以上の動作(1)，(2)では、出力予約とは独立した状態の、複数のプリントジョブの実行順の組合せであるスケジュールの登録について説明してきた。
【０１１１】
ここで、図１３を参照して、動作(1)〜(2)で生成されたスケジュールを用いたプリントジョブの出力予約動作を説明する。
主制御部１５０は、スケジュールがＨＤＤ１１４に保存されているか否かを確認する（図１３中のステップＳ３０１）。
【０１１２】
スケジュールが保存されていない場合には（図１３中のステップＳ３０１でＮＯ）、図３で説明したスケジュール登録を実行する（図１３中のステップＳ３０２）。なお、図３のスケジュール登録を完了した時点でステップＳ３０１の処理に戻る。
【０１１３】
スケジュールが保存されている場合には（図１３中のステップＳ３０１でＹＥＳ）、保存されているスケジュールを所定の操作画面上に一覧表示する（図１３中のステップＳ３０３）。
【０１１４】
オペレータは、操作画面上に一覧表示された複数のスケジュールの中から出力（画像形成実行）に用いようとするスケジュールを選択する（図１３中のステップＳ３０４）。
更に、オペレータは、操作画面上で選択したスケジュールについて、出力（画像形成実行）するか、または、修正するかを選択する（図１３中のステップＳ３０５）。
【０１１５】
オペレータがスケジュールの選択をやりなおす選択をした場合（図１３中のステップＳ３０６で「選択変更」）、主制御部１５０は、保存されたスケジュールの一覧表示（図１３中のステップＳ３０３）を行って、オペレータにスケジュールを選択させる（図１３中のステップＳ３０４）。
【０１１６】
スケジュールの内容を変更するのであれば（図１３中のステップＳ３０６で「内容変更」）、主制御部１５０は、
図３に示したフローチャートの（ａ）位置の図３中のステップＳ１０３からスケジュール登録処理を実行するよう制御する。この場合、図３での一連のスケジュール登録が完了した時点で、図１３のスケジュール出力に戻り、スケジュールの出力（画像形成実行）についてオペレータに問い合わせる（図１３中のステップＳ３０５）。
【０１１７】
オペレータがスケジュールの出力を選択をした場合（図１３中のステップＳ３０５でＹＥＳ）、主制御部１５０は、選択されたスケジュールに含まれるプリントジョブを、スケジュールで定められた登録順に従って一括して出力予約する（図１３中のステップＳ３０８）。なお、実行日時の指定やその他の指定の情報がスケジュールに含まれていれば、その情報も含めて出力予約する。
【０１１８】
なお、従来は、出力予約したプリントジョブを実行開始してしまうと、出力予約されている未実行のプリントジョブについて自由にスケジュール調整をすることができないという問題が存在していたが、この実施形態では出力予約とは独立してスケジュール登録をしているため、スケジュールから一括して出力予約ことに何の問題も生じない。
【０１１９】
〔その他の実施形態〕
以上、本発明の実施の形態を具体例と共に説明してきたが、具体的な構成や手順は実施の形態に示したものに限られるものではなく、本発明の要旨を逸脱しない範囲における変更や追加があっても本発明に含まれる。
【０１２０】
また、以上の画像形成装置１００でのプリントジョブ制御動作を、画像形成装置１００内の主制御部１５０の代わりに、コンピュータ１０がプリントジョブ制御装置として画像形成装置１００に対して実行することも可能である。
【符号の説明】
【０１２１】
１０  コンピュータ
３０  ネットワーク
５０  給紙装置
１００  画像形成装置
１１０  プリントコントローラ
１１１  コントローラ制御部
１１２  ＬＡＮ−ＩＦ部
１１３  画像メモリ
１１４  ハードディスク装置（ＨＤＤ）
１１５  ＤＲＡＭ制御部
１２１  給紙部
１２２  スキャナ部
１２３  操作表示部
１２４  プリンタ部
１５０  主制御部
１５１  ＣＰＵ
１５２  読み取り処理部
１５３ａ  ＤＲＡＭ制御部
１５３ｂ  ＤＲＡＭ制御部
１５４ａ  圧縮伸長部
１５４ｂ  圧縮伸長部
１５５ａ  画像メモリ
１５５ｂ  画像メモリ
１５６  ハードディスク装置（ＨＤＤ）
１５８  書き込み処理部
１５９ａ  ＲＯＭ
１５９ｂ  ＲＡＭ
１５９ｃ  不揮発メモリ
４００  用紙処理装置
【図１】
2015231716.tif 000003
【図２】
2015231716.tif 000004
【図３】
2015231716.tif 000005
【図９】
2015231716.tif 000006
【図１３】
2015231716.tif 000007
【図４】
2015231716.tif 000008
【図５】
2015231716.tif 000009
【図６】
2015231716.tif 000010
【図７】
2015231716.tif 000011
【図８】
2015231716.tif 000012
【図１０】
2015231716.tif 000013
【図１１】
2015231716.tif 000014
【図１２】
2015231716.tif 000015